(57)【特許請求の範囲】
【請求項１】
ポルノグラフィファイルの全体あるいは該ポルノグラフィファイルの一部から、予め決められたハッシュ関数を利用してポルノハッシュ値が取り出され、取り出されたポルノハッシュ値を格納したポルノハッシュ値ＤＢをサーバにより構築し、前記サーバと有害ポルノ動画を遮断するための遮断プログラムを搭載したコンピュータと、この間のインターネットとで構成されるシステムによる有害ポルノファイルの自動遮断方法であって、
前記コンピュータに記憶される前記ポルノグラフィファイルが編集され、そしてネットワークを通じて転送および再生されるとき、ハッシュ関数を用いてポルノグラフィファイルの全体あるいは該ポルノグラフィファイルの一部から、前記コンピュータにより、取出しハッシュ値を取り出す取出し段階；
前記取出しハッシュ値と前記ポルノハッシュ値ＤＢの有害ポルノハッシュ値とを前記サーバ又は前記コンピュータにより比較する比較段階；並びに
前記取出しハッシュ値と一致する有害ポルノハッシュ値がある場合、前記ポルノグラフィファイルの再生、編集、および転送を前記コンピュータにより遮断する遮断段階；
が含まれることを特徴とする、ハッシュ値が利用される有害ポルノグラフィファイルの自動遮断方法。
【請求項２】
前記有害ポルノハッシュ値は前記ネットワークを通じて前記サーバから前記コンピュータに転送され、前記取出し段階、前記比較段階、及び前記遮断段階は前記コンピュータにより実行されることを特徴とする、請求項１に記載の有害ポルノグラフィファイルの自動遮断方法。
【請求項３】
前記取出し段階は前記コンピュータにより実行され、取出しハッシュ値が前記サーバに転送され前記比較段階が前記サーバにより実行され、比較結果が前記コンピュータに転送され前記コンピュータにより遮断が実行されることを特徴とする、請求項１に記載のハッシュ値を利用した有害ポルノグラフィファイルの自動遮断方法。
【発明の詳細な説明】
【技術分野】
【０００１】
本発明はポルノグラフィ遮断方法に関係するとともに、さらに特に、ポルノグラフィハッシュ値データベース（ＤＢ）が構築されるために予め決まった１方向ハッシュ関数が利用されてインターネット上に拡がるポルノグラフィファイルの全体あるいは部分からポルノグラフィハッシュ値が取り出され、１方向ハッシュ関数が利用されてコンピュータで転送、編集かつ実行される全体あるいは一部のファイルからハッシュ値が取り出される（取出しハッシュ値）とともに、ファイルがポルノグラフィファイルと一致する場合にはファイルの転送あるいは実行が停止されるかあるいはファイルが消去され、これによってコンピュータを利用する青少年によって違法ポルノグラフィ動画に接近されるのが防止されて、健全なインターネット環境が提供されると同時に、より生産性のある国民的資源であるインターネットのインフラストラクチャが利用されるインターネット通信の大部分が占められるポルノグラフィ動画の流通が阻止されるハッシュ値が利用されるポルノグラフィ遮断方法に関する。
【背景技術】
【０００２】
国民警察庁サイバーテロ応答センター発行資料「ファイルシェアリングサービスを通じたポルノグラフィ配布違反とサイトオペレータの取締りの結果（２００４年６月２３日エレクトロニックタイムズ誌）」によると、９０％を越えるポルノグラフィ資料がＰ２Ｐのようなファイルシェアリングを通じて配布されていることが調査された。２００４年５月の韓国電気通信会社（ＫＴ）の調査資料（２００４年８月２４日付けニューズウィーク韓国版）によると、インターネットデータ通信の８８．７６％が個人間のファイルシェアリングプログラムＰ２Ｐおよびメッセンジャープログラムを通じて配布された。
【０００３】
韓国特許Laid-Open公開No 2004-46537（出願No. 10-2002-74484、引用参照特許１）に、特定色（黄、黒、白等）がＶＯＤサービスのスクリーン上で予め決められた閾値を越える場合に遮断されるポルノグラフィ遮断方法が公開されている。韓国特許Laid-Open公開No 2002-27987（出願No. 10-2000-58828、引用参照特許２）では、ポルノグラフィサイトのＵＲＬのＤＢが構築されると同時にユーザーコンピュータがポルノグラフィサイトにアクセスしようとする場合にサイトが封鎖されるポルノグラフィ遮断方法が公開されている。
【０００４】
韓国特許Laid-Open公開No 2001-107528（出願No. 10-2001-4025、引用参照特許３）には、ポルノグラフィの色、質感や形態ならびにインターネットから受信されかつマルチメディアデータから取り出される特徴的な記述因子といった特徴上の記述の類似性が計算／測定されるとともに、マルチメディアデータのポルノグラフィの等級が判断されによってデータがポルノグラフィと一致する場合にマルチメディアデータが遮断されるポルノグラフィ遮断方法が公開されている。
【０００５】
しかしながら、引用参照発明１と３ではすべての場面の色が分析されなくてはならないので現場の色の分析に長時間が必要とされる。さらに、マルチメディアデータがポルノグラフィであると判断される場合には、ポルノグラフィの再生が防止されないどころか閾値を越えて一致する色までも遮断されてしまう。このように、肝心かつ効果的な遮断が行われない上に、マルチメディアデータがポルノグラフィでない場合には設定色が遮断されてしまう可能性がある。
【０００６】
引用参照特許２によりポルノグラフィサイトのＵＲＬは阻止されるけれどもファイルがＰ２Ｐシステムによって最近転送されてしまったのでこの特許は有効ではない。さらに、ＣＤにコピーされて配布されるポルノグラフィには対処が不可能である。
【特許文献１】
韓国特許Laid-Open公開No 2004-46537（出願No. 10-2002-74484）
【特許文献２】
韓国特許Laid-Open公開No 2002-27987（出願No. 10-2000-58828）
【特許文献３】
韓国特許Laid-Open公開No 2001-107528（出願No. 10-2001-4025）
【発明の開示】
【発明が解決しようとする課題】
【０００７】
従って、本発明は先行技術に生じる上記の問題に鑑みて行われたものであると同時に、インターネット上でかつて配布されたポルノグラフィファイルからハッシュ値（ポルノグラフィハッシュ値）が取り出され、ポルノグラフィハッシュ値ＤＢが構築されて, コンピュータで転送、編集あるいは再生 (実行) がなされるべきファイルのハッシュ値（取出しハッシュ値）が取出されるとともに、比較されて、ポルノグラフィファイルの転送あるいは実行の停止あるいは該当ファイルの削除によって、コンピュータを利用する青少年に健全なインターネット環境が提供されると同時に、国民の資源であるインターネット・インフラストラクチャがより生産的に利用されることができるようにインターネット通信の多くが占められるポルノグラフィファイルの配布が阻止されることが本発明の目的である。
【課題を解決するための手段】
【０００８】
上の目的が成就されるために、本発明のある様態によると、 予め決められた１方向ハッシュ関数が利用されると同時に様々なポルノグラフィの全体あるいは一部から取出しハッシュ値（ポルノグラフィハッシュ値）が取り出され、ポルノグラフィハッシュ値ＤＢが構築されるＤＢ構築段階、コンピュータに記憶されるファイルが再生されるとか、ネットワークを通じて転送されあるいは受信される場合に、ハッシュ関数が利用されてファイルの一部のハッシュ値（取出しハッシュ値）が取り出される取出し段階、取出しハッシュ値がポルノグラフィハッシュ値ＤＢのポルノグラフィハッシュ値と比較される比較段階、ならびに、取出しハッシュ値と一致するポルノグラフィハッシュ値がある場合にファイルの再生（実行）、編集あるいは転送が中止される遮断段階が含まれる、ハッシュ値を利用したポルノグラフィ遮断方法がある。
【０００９】
本ポルノグラフィ遮断方法には、さらにポルノグラフィの等級に応じた等級によってポルノグラフィのハッシュ値が分類される段階、および、ＤＢ構築後に遮断されるべきポルノグラフィの等級設定段階が含まれて、比較段階では、取出しハッシュ値が等級設定段階で設定される予め決められる等級より高い等級をもつポルノグラフィハッシュ値と比較されるのが好ましい。
【００１０】
ＤＢ構築段階では、ポルノグラフィハッシュ値はネットワークを通じてサーバーから転送可能である。
【００１１】
ＤＢ構築段階で構築されたＤＢはサーバーに置かれる。ポルノグラフィ遮断方法にはさらに取出し段階後のサーバーへの取出しハッシュ値の転送段階が含まれて、比較段階はサーバーで実行されると同時に比較結果は比較段階後のサーバーから受信可能である。中止段階は比較結果が受信された後に行われる。
【発明を実施するための最良の形態】
【００１２】
本発明は添付図面が参照されて好ましい実施例に関連して詳細に説明されよう。参照に関しては、同じ参照文字は複数の図を通じて同じ該当部分が指される。
【００１３】
図１は本発明の実施例によりファイルが再生される場合のポルノグラフィ遮断処理が示されるフローチャートである。図１を参照すると、ユーザーによりポルノグラフィが遮断されようとする場合に、ポルノグラフィ遮断プログラムがコンピュータにインストールされる（プログラムインストール段階１００）。該プログラムは、ポルノグラフィのハッシュ値のデータベース（ＤＢ）が構築されるように、自動的、定期的あるいは手動で必要な場合にネットワークを通じてポルノグラフィハッシュ値をもつサーバーからダウンロードされて入手される（ＤＢ構築段階１１０）。ポルノグラフィハッシュ値は個別の１方向ハッシュ関数により取り出されるハッシュ値である。ポルノグラフィハッシュ値は対応するポルノグラフィの全体あるいは一部に関するハッシュ値である一方で、これらはポルノグラフィハッシュ値ＤＢの構築の容易さを考慮してポルノグラフィの部分に関するのが好ましい。
【００１４】
コンピュータにより特定のファイルが再生（実行）されるかあるいは編集され、該ファイルが別のコンピュータに転送されるかあるいは別のコンピュータから受信される場合に、プログラムにより実行され、転送されあるいは編集されたファイルの一部のハッシュ値が取り出される（取出し段階１２０）。ファイルが転送される場合、プログラムはファイル全体に関するハッシュ値の取出しが可能である。ファイルが受信される場合にはファイルの一部に関するハッシュ値が取り出されることが好ましい。ファイルが受信される場合にファイル全体が受信された後にファイルのハッシュ値が取り出されるが、ファイルの受信途中で取り出されて該ハッシュ値はファイルがポルノグラフィに該当するかどうかが判断されることが好ましい。
【００１５】
取出し段階（１２０）で取り出されるハッシュ値（取出しハッシュ値）はＤＢのポルノグラフィハッシュ値と比較される（比較段階１３０）。取出しハッシュ値がＤＢに記憶されたポルノグラフィハッシュ値と同じである場合に、該当ファイルの転送、再生あるいは編集は阻止される（遮断段階１４０）。遮断段階（１４０）で阻止されたファイルは必要な場合には自動的に削除可能である。
【００１６】
図２は本発明の別の実施例によりファイルが転送される場合のポルノグラフィ遮断の処理が示されるフローチャートである。図２を参照すると、取出し段階（１２０）ではコンピュータで再生しようとするファイルのハッシュ値は取りだされないが、転送あるいは受信されたファイルの部分のハッシュ値は取り出される。ファイルはファイルがポルノグラフィではない場合に転送される（ファイル転送段階１４４）。ファイルがポルノグラフィに該当する場合、ファイルの転送は停止されるかあるいはファイルが削除され（遮断段階１４０）、この点が図１の該当する段階とは異なる。ここで、ファイルが転送される場合、プログラムはファイル全体に関するハッシュ値の取出しが可能である。ファイルが受信される場合、ファイルの一部のハッシュ値が取り出されるのが好ましい。ハッシュ値はファイルが受信される場合にファイル全体が受信された後に取り出すことが可能であるけれども、ハッシュ値はファイルの受信途中で取り出されてファイルがポルノグラフィであるか否かが判断されるのが好ましい。
【００１７】
図２はファイルがコンピュータに転送される場合ポルノグラフィに該当するかどうかが判断されるとともに、ファイルがポルノグラフィに該当する場合にファイルが遮断されるポルノグラフィ遮断方法が示される。
【００１８】
図３は本発明の別の実施例によるファイル転送時のポルノグラフィの遮断における転送ファイルのハッシュ値のサーバーへの転送およびハッシュ値の処理の方法が示されるフローチャートである。図３に示される処理は、取出し段階（１２０）で取出されるハッシュ値（取出しハッシュ値）がポルノグラフィハッシュ値と比較されるサーバーへ転送される転送段階（１５０）が追加で含まれる点と、該サーバーで取出しハッシュ値がポルノグラフィハッシュ値と比較される比較段階（１３０）が実行される点を除いて図１の処理に類似している。図３の処理の場合には、ポルノグラフィハッシュ値はサーバーに存在すると同時にポルノグラフィハッシュ値がコンピュータにダウンロードされる段階は実行されない。
【００１９】
図１、図２および図３に詳細には図示されないが、ポルノグラフィ遮断プログラムは、ポルノグラフィ遮断プログラムが削除される必要のある場合で予め決められたパスワードが入力される場合にのみ削除される。さらに、コンピュータに記憶されるファイルの検索機能により、ポルノグラフィであると判断される場合にファイルは削除され、ポルノグラフィハッシュ値の等級が設定され、ポルノグラフィハッシュ値ＤＢが構築されるとともに、遮断対象が追加可能であるよう予め決められる等級より高い等級をもつポルノグラフィのみが設定される。
【産業上の利用可能性】
【００２０】
上述のように、本発明によりコンピュータを利用する青少年により違法なポルノグラフィファイルにアクセスされるのが防止され、健全なインターネット環境が提供される。さらに、本発明により、より生産的な国民的資源であるインターネットのインフラストラクチャが利用されることができるようにインターネット通信の多くが占められるポルノグラフィの流通が阻止される。
【００２１】
さらに、本発明はＵＲＬが阻止される方法およびキーワードが阻止される方法が含まれる従来のポルノグラフィ遮断方法の限界が打破されるものであるとともに、個人間で流通するポルノグラフィの遮断が可能である。さらに、本発明はポルノグラフィがオフラインで入手される場合でもポルノグラフィの再生の防止が可能である。
【００２２】
本発明は特定の例示的な実施例が参照されて説明されたが、実施例によってではなく付録の請求項によってのみ限定される。技術に熟練した人々は本発明の範囲と精神から逸脱することなく実施例の変更あるいは修正が可能であることが認められなくてはならない。
【図面の簡単な説明】
【００２３】
本発明のさらなる目的と利点は添付図面と関連して以降の詳細説明からさらに十分理解され得る。すなわち、
【００２４】
【図１】は本発明の実施例によりファイルが再生される場合のポルノグラフィの遮断の処理が示されるフローチャートである。
【００２５】
【図２】は本発明のもう一つの実施例によりファイルが転送される場合のポルノグラフィの遮断の処理が示されるフローチャートである。
【００２６】
【図３】は本発明のもう一つの実施例によりファイルが転送される場合の、ポルノグラフィの遮断におけるファイルのハッシュ値の転送およびハッシュ値の処理方法が示されるフローチャートである。
【符号の説明】
【００２７】
１００：プログラムインストール段階、１１０：ＤＢ構築段階
１２０：取出し段階、１３０：比較段階
１４０：遮断段階、１４２：ファイル再生段階
１４４：ファイル転送段階、１５０：転送段階
【図１】
0004347384.tif 000002
【図２】
0004347384.tif 000003
【図３】
0004347384.tif 000004